(57)【要約】【課題】スプレイ配列からベンド配列への転移を容易に可能にし、高コントラストで高い光変調率の液晶表示素子及びこれを用いた液晶表示装置を提供する。【解決手段】走査信号配線Ｗ１〜Ｗｊとこの配線に交差する画像信号配線Ｄ１〜Ｄｉとの交差部に画素電極３２を有する画素駆動素子がマトリクス状に配置された第１の基板２２と、第１の基板に対向する面に光透過性を有する共通電極３６を形成した光透過性を有する第２の基板２４と、第１の基板と第２の基板とが互いに対向する各面に互いの配向方向がパラレル方向をなすように形成された配向層３４、３８と、第１の基板と第２の基板の間隙に封入された液晶２６と、を有する液晶表示素子において、液晶に、該液晶を構成する液晶分子の配列の捩れるピッチ長をｐとし、対向する第１の基板と第２の基板との間隔の幅をｄとしたとき、（４／３）ｄ≦ｐ≦４ｄの関係式を満たすカイラル材を添加する。【選択図】図２
2008275955.tif 000002
【特許請求の範囲】
【請求項１】
複数の走査信号配線と該走査信号配線に交差する画像信号配線との交差部に画素電極を有する画素駆動素子がマトリクス状に配置された第１の基板と、
前記第１の基板に対向するように配置され、対向する面の前記画素電極が形成されている範囲に光透過性を有する共通電極を形成した光透過性を有する第２の基板と、
前記第１の基板と前記第２の基板とが互いに対向する各面に互いの配向方向がパラレル方向をなすように形成された配向層と、
前記第１の基板と第２の基板の間隙に封入された液晶と、を有する液晶表示素子において、
前記液晶に、該液晶を構成する液晶分子の配列の捩れるピッチ長をｐとし、対向する前記第１の基板と前記第２の基板との間隔の幅をｄとしたとき、（４／３）ｄ≦ｐ≦４ｄの関係式を満たすカイラル材を添加するように構成したことを特徴とする液晶表示素子。
【請求項２】
請求項１記載の液晶表示素子と、該液晶表示素子に光を照射する光源と、前記液晶表示素子に形成される画像を可視化する可視化手段とを有する液晶表示装置において、
前記液晶表示素子と前記可視化手段との間の光路中に、
前記液晶表示素子の基板間隙の幅と同じ間隔の幅で対向配置されて各表面に光透過性を有する透明電極が形成された光透過性の一対の透明基板と、
前記各透明基板の対向面に互いに配向方向がパラレル方向をなすようにそれぞれ形成された配向層と、
前記透明基板の基板間隙に封入された液晶と、
よりなる液晶パネルが介設され、
前記液晶の液晶分子の配列の捩れるピッチ長は前記液晶表示素子の前記ピッチ長と同じであると共に、捩れ方向が前記液晶表示素子と逆方向になされていることを特徴とする液晶表示装置。
【請求項３】
前記液晶パネルの一対の透明電極間には、前記液晶表示素子で形成される画像の光量が最小値となる電圧値と同一の電圧が印加されることを特徴とする請求項２記載の液晶表示装置。
【発明の詳細な説明】
【技術分野】
【０００１】
本発明は、ベンド配列状態で表示する液晶表示素子及びこれを用いた液晶表示装置に係り、特にスプレイ配列からベンド配列への転位を容易にする液晶表示素子及びこれを用いた液晶表示装置に関する。
【背景技術】
【０００２】
従来より、液晶の表示モードの１つとしてツイストしていないスプレイ配列のネマチック液晶層に電圧を印加してベンド配列とし、このベンド配列を維持する電圧範囲内で液晶のティルト状態を印加電圧値により制御し、液晶層における通過光の位相差を位相差補償板で光学補償して画像表示する複屈折効果型のＯＣＢ（Ｏｐｔｉｃａｌｌｙ  Ｃｏｍｐｅｎｓａｔｅｄ  Ｂｉｒｅｆｒｉｎｇｅｎｃｅ）モードが知られている。このＯＣＢモードを使用した表示方法は、広視野角で且つ高速応答が可能な液晶表示の方法として知られている（特許文献１等）。
【０００３】
ここでＯＣＢモードの従来の液晶表示素子について図１１及び図１２を参照して説明する。図１１はＯＣＢモードの液晶表示素子の一例を示す概略構成図、図１２（Ａ）は電極間に印加する印加電圧と液晶配列のエネルギーとの関係を示すグラフであり、図１２（Ｂ）はスプレイ配列領域にベンド配列領域を形成するためのエネルギーについて説明するための模式図である。
【０００４】
図１１に示す液晶表示素子において、画素駆動素子等が形成されているシリコン基板２の表面には、反射型の画素電極４及び配向層６が順次形成されている。また、これと対向側にある透明なガラス基板８の表面（図中の下側）には、透明電極１０及び配向層１２が順次形成されている。そして、上記両基板２、８は、配向層６、１２側を対向させ、基板間隙に液晶１４が挟み込まれて封入されている。図中、黒色の楕円形は液晶分子１４Ａの配列方向を示している。またガラス基板８の上方には、位相差補償板１６が設けられている。そして、表示用の光は、上記位相差補償板１６側から入射する。
【０００５】
ここで、上記両配向層６、１２のそれぞれの配向方向は互いに平行であり、且つプレティルトの方向も同一のパラレル配向をなしている。電圧を印加しないとき、図１２（Ａ）に示すように液晶１４はスプレイ配列の方がベンド配列よりもエネルギーが低いので初期の配向状態として図１１（Ａ）に示すようにスプレイ配列をなし、電極４、１０間に印加する電圧が転移電圧Ｖｃよりも高い範囲では図１２（Ａ）に示すようにベンド配列の方がスプレイ配列よりもエネルギーが低いので図１１（Ａ）に示すベンド配列となり、このベンド配列状態で印加電圧を制御して画像表示を行なう。このように、ベンド配列状態を維持する電圧範囲内で画像を表示するようにした液晶表示素子は応答速度に優れている特長がある。
【０００６】
【特許文献１】特開平９−１０５９５７号公報
【発明の開示】
【発明が解決しようとする課題】
【０００７】
上述したように、スプレイ配列状態に配向している水平配向の液晶に転移電圧よりも高い電圧を印加してベンド配列に転移させた後、画像を表示するが、図１２（Ｂ）に示すようにスプレイ配列からベンド配列への転移にはエネルギーバリア１８があるために、このスプレイ配列からベンド配列への転移を実現するために、転移核の形成や高い電圧印加を必要とする不都合があった。
【０００８】
それを解決する手段として、スプレイ配列からベンド配列への転移を、ツイスト配列を経由したものとすることにより、転移がスムーズに起こることが知られているが、液晶のカイラル材のピッチ長により転移がスムーズに進まない、といった問題があった。
更に、このカイラル材を用いる方法によるとツイスト配列による旋光性の波長依存のため、出射光は必ずしも直線偏光ではなく、波長によっては楕円偏光となり、また楕円偏光の長軸方向にも波長依存性が生じてしまっている。そのために、黒表示での光モレが生じてコントラストを低下させる、という問題があった。
【０００９】
本発明は、上述する従来の課題に鑑みでなされたものであり、その目的はスプレイ配列からベンド配列への転移を容易に可能にすると共に、高コントラストで高い光変調率の液晶表示素子及びこれを用いた液晶表示装置を提供することにある。
【課題を解決するための手段】
【００１０】
請求項１に係る発明は、複数の走査信号配線と該走査信号配線に交差する画像信号配線との交差部に画素電極を有する画素駆動素子がマトリクス状に配置された第１の基板と、前記第１の基板に対向するように配置され、対向する面の前記画素電極が形成されている範囲に光透過性を有する共通電極を形成した光透過性を有する第２の基板と、前記第１の基板と前記第２の基板とが互いに対向する各面に互いの配向方向がパラレル方向をなすように形成された配向層と、前記第１の基板と第２の基板の間隙に封入された液晶と、を有する液晶表示素子において、前記液晶に、該液晶を構成する液晶分子の配列の捩れるピッチ長をｐとし、対向する前記第１の基板と前記第２の基板との間隔の幅をｄとしたとき、（４／３）ｄ≦ｐ≦４ｄの関係式を満たすカイラル材を添加するように構成したことを特徴とする液晶表示素子である。
【００１１】
請求項２に係る発明は、請求項１記載の液晶表示素子と、該液晶表示素子に光を照射する光源と、前記液晶表示素子に形成される画像を可視化する可視化手段とを有する液晶表示装置において、前記液晶表示素子と前記可視化手段との間の光路中に、前記液晶表示素子の基板間隙の幅と同じ間隔の幅で対向配置されて各表面に光透過性を有する透明電極が形成された光透過性の一対の透明基板と、前記各透明基板の対向面に互いに配向方向がパラレル方向をなすようにそれぞれ形成された配向層と、前記透明基板の基板間隙に封入された液晶と、よりなる液晶パネルが介設され、前記液晶の液晶分子の配列の捩れるピッチ長は前記液晶表示素子の前記ピッチ長と同じであると共に、捩れ方向が前記液晶表示素子と逆方向になされていることを特徴とする液晶表示装置である。
【００１２】
この場合、例えば請求項３に記載したように、前記液晶パネルの一対の透明電極間には、前記液晶表示素子で形成される画像の光量が最小値となる電圧値と同一の電圧が印加される。
【発明の効果】
【００１３】
請求項１の本発明によれば、液晶に、該液晶を構成する液晶分子の配列の捩れるピッチ長をｐとし、対向する第１の基板と第２の基板との間隔の幅をｄとしたとき、（４／３）ｄ≦ｐ≦４ｄの関係式を満たすカイラル材を添加するように構成したので、１８０°ツイスト配列状態を経由してスプレイ配列からベンド配列に連続的な液晶分子の配列を変化させることができ、異なる配列状態の境界に発生するエネルギーバリアをなくして明確な転移電圧をなくすことが可能になる。
【００１４】
請求項２の本発明によれば、光変調を行なうためのベンド配列の液晶表示素子に生じる位相差を補償するために、液晶層を挟持してなる液晶パネルを設けるようにした二層構成の液晶表示装置となるので、液晶パネルの電圧を最適化することにより光変調率を最大にすることができる。
【００１５】
請求項３の本発明によれば、液晶表示素子を駆動して光変調された光量が最小値となる電圧値と同一の電圧を液晶パネルの透明電極間に印加することにより、黒表示状態での光モレとなる位相差を補償補償できるので、高コントラストを得ることができる。
【発明を実施するための最良の形態】
【００１６】
以下、本発明に係る液晶表示素子及びこれを用いた液晶表示装置について、添付図面を参照して説明する。
図１は本発明に係る液晶表示素子を示す概略構成図、図２は図１に示す液晶表示素子の１画素に相当する部分を示す拡大断面図、図３は液晶分子配列の捩れるピッチ長を説明するための図、図４（Ａ）は電極間に印加する印加電圧と液晶配列のエネルギーとの関係を示すグラフであり、図４（Ｂ）はスプレイ配列領域にベンド配列領域を形成すると共にこのベンド配列領域を広げるためのエネルギーについて説明するための模式図である。
ここでは、液晶表示素子として反射型の画素電極を有する反射型の液晶表示素子を例にとって説明する。
【００１７】
図１及び図２に示すように、この液晶表示素子２０は、例えばシリコン基板よりなる第１の基板２２と、これと所定の間隔を隔てて配置された例えば光透過性を有するガラス基板よりなる第２の基板２４と、この両基板間の間隔（間隙）に挟み込むようにして封止された液晶（液晶層）２６とにより主に形成されている。
【００１８】
具体的には、上記第１の基板２２の表面側には、画素Ｐｘが縦横に整然とマトリクス状に配列されており、各画素Ｐｘは、列信号電極駆動回路２８から延びる複数の画像信号配線Ｄ１〜Ｄｉと、行走査電極駆動回路３０から延びる複数の走査信号配線Ｗ１〜Ｗｊとの交差部に配置されている。これにより、画像信号を上記各画像信号配線Ｄ１〜Ｄｉでサンプリングして供給しつつこれを上記走査信号配線Ｗ１〜Ｗｊにより順次走査することにより、全面に画像を表示するようになっている。
【００１９】
上記各画素Ｐｘに対応して、その表面に例えばアルミニウム等よりなる反射型の画素電極３２が形成されると共に、これを駆動する画素駆動素子（図示せず）がシリコン基板内に形成されている。従って、この画素電極３２及び画素駆動素子もマトリクス状に配列形成されていることになる。そして、この画素電極３２の表面には例えばポリイミド膜よりなる配向層３４が形成されている。
【００２０】
一方、上記光透過性を有する第２の基板２４の表面（図２中においては下面）には、上記第１の基板２２に対向させて例えばＩＴＯ（インジウムスズ酸化膜）よりなる光透過性を有する共通電極３６が全面に形成されており、更に、この共通電極３６の表面に例えばポリイミド膜よりなる配向層３８が形成されている。そして、上記対向する２つの配向層３４、３８は、その配向方向が互いに平行であって且つプレティルトの方向も同一のパラレル配向をなすように、それぞれ所定の方向へラビング処理が施されている。
【００２１】
ここで上記第１と第２の基板２２、２４間の間隔に挟持されるように封止される液晶２６は、例えばネマチック型の液晶が用いられ、電圧を印加していない時にはスプレイ配列される。この液晶２６には、以下の式１を満たすようなカイラル材が添加される。
（４／３）ｄ≦ｐ≦４ｄ  …  （１）
上記式１を変形すると”４／３≦ｐ／ｄ≦４”となる。
【００２２】
ここで”ｄ”は第１と第２の基板２２、２４との間の間隔の幅（液晶層の厚さ）を示し、”ｐ”は図３に示すように液晶分子配列の捩れるピッチ長を示し、図３では”α”で示す線は液晶分子２６Ａ（図２参照）の並び方を模式的に示しており、液晶分子がある一方向に配列した面があって、この面が螺旋状にその向きを変えている状態を示している。
【００２３】
上記式１に関して、液晶２６のカイラル材による捩れ角を”θ”とした場合に、”θ”は次のような式２の範囲となる。
９０°＜θ＜２７０°  …（２）
図４（Ａ）に示すようにツイスト配列は、ベンド配列とスプレイ配列の間のエネルギーを有するため、図４（Ａ）に示すようにスプレイ配列とベンド配列との境界のエネルギーバリア（図１２（Ｂ）参照）が低減されて、電圧を印加しないときにスプレイ配列をなしていた液晶は、転移電圧よりも高い電圧を印加すると１８０°のツイスト配列を経由してベンド配列となり、図４（Ｂ）に矢印４０で示すようにベンド領域が広がる。
【００２４】
具体的には、電極３２、３６間に印加する印加電圧と液晶表示素子及び位相差補償板の透過率との関係は図５に示すようになり、ＯＣＢモードの場合には、例えば約３Ｖの電圧を印加することによってスプレイ配列からベンド配列に配向転移し、この時が白表示となる。更に約８Ｖの電圧を印加した時が黒表示となり、従って、白表示〜黒表示の間の表示については、このベンド配列状態で行われる。
【００２５】
ここで上記捩れ角θについて実験した結果から、捩れ角θ＜９０°では、捩れ角が１８０°のツイスト配列ではなく０°となる力が発生してスムーズな転移を示さなかった。また、捩れ角θ＞２７０°では３６０°となる力が発生してスムーズな転移を示さなかった。
【００２６】
この点について、上記式１に関して”ｐ／ｄ”を種々変更して実験を行ったので、この時の実験結果を図６に示す。ここで”ｐ／ｄ”を２／３〜１４／３まで種々変更して行っており、各値でｎ＝１０回の実験を行い、１つでもスプレイ配列からベンド配列に転移しなかったものを”×”とし、全て転移したものを”○”とした。
【００２７】
この図６に示す実験結果から明らかなように、”ｐ／ｄ”を４／３〜４の範囲内に設定したときに”○”になっており、従って”ｐ／ｄ”を上記４／３〜４の範囲内に設定する必要があることが判る。
【００２８】
また、上記したような液晶表示素子２０に対して、転移電圧が１．７〜２．５ボルトの範囲内であり、この転移電圧よりも高い電圧において、液晶のベンド配列状態を印加電圧値により制御し、液晶層における通過光の位相差を図示しない位相差補償板で光学補償して画像を表示したところ、高速応答が可能な液晶表示が可能であった。この時の位相差補償板の補償値は、図７に示す印加電圧と液晶表示素子自体の位相差との関係を示すグラフと、次の式とより求められる。
【００２９】
Ｒｅ＝Δｎ・ｄ−Ｒ  …（３）
Ｔ＝ｓｉｎ２ ｛（２・Ｒｅ／λ）π｝
ここで、Ｒｅは位相差補償板及び液晶表示素子を通過する光が受ける位相差、Δｎは液晶の屈折率位方性、ｄは液晶層の厚さ、Ｒは位相差補償板の補償値、Ｔは直交偏光子等の可視化手段を設けた位相差補償板及び液晶表示素子を通過する光の透過率、λは入射光の波長である。
【００３０】
＜液晶表示装置の説明＞
次に、上記液晶表示素子２０を用いた液晶表示装置について説明する。図８は本発明に係る液晶表示素子を用いた液晶表示装置を示す概略構成図、図９は図８に示す液晶表示装置の主要部を示す拡大断面図である。
【００３１】
図８に示すように、この液晶表示装置４２は、上記本発明の液晶表示素子２０と、この液晶表示素子２０に表示用の光を照射する光源４４と、上記液晶表示素子２０に形成される画像を可視化する可視化手段４６とを有している。そして、上記液晶表示素子２０と可視化手段４６との間の光路中には、上記液晶表示素子２０の通過光の位相差を補償するための前述した位相差補償板４８と、この位相差補償板４８と液晶表示素子２０との間に位置された本発明の特徴とする液晶パネル５０とがそれぞれ設けられている。
【００３２】
具体的には、上記可視化手段４６は、例えば偏光ビームスプリッタ５２と、この偏光ビームスプリッタ５２から出る光をスクリーン５６に拡大投射する投射レンズ５４等とを有している。そして、上記光源４４から出た光は、偏光ビームスプリッタ５２の接合面で偏光を受けて反射されて、この反射光は、位相差補償板４８、液晶パネル５０及び液晶表示素子２０へと順次入射し、この液晶表示素子２０にて画像信号に応じた変調を受けることになる。この液晶表示素子２０より反射した変調光は、再度、上記液晶パネル５０、位相差補償板４８を通過した後、変調成分の光が偏光ビームスプリッタ５２を通過する。そして、この通過した変調光が投射レンズ５４により拡大されて、スクリーン５６上に投射されて画像が表示されることになる。
【００３３】
ここで、図９を参照して、上記液晶パネル５０の構成について説明する。尚、図９中の液晶表示素子２０については、図２に示す液晶表示素子２０と略同一構成になっているので、同一構成部分には同一符号を付してその説明を省略する。上記液晶パネル５０は、この液晶表示素子２０に重なるように並設されている。この液晶パネル５０は、上記液晶表示素子２０に対して、両基板が光透過性を有する点及び封止される液晶の捩れ方向が逆方向になっている点を除き、液晶表示素子２０と略同じ構成になっている。すなわち、この液晶パネル５０は、例えばガラス基板よりなる一対の透明基板６０、６２を有している。そして、この各透明基板６０、６２の対向面には、例えばＩＴＯよりなる透明電極６４、６６及び例えばポリイミド樹脂よりなる配向層６８、７０がそれぞれ順次積層するように形成されている。
【００３４】
ここで上記透明電極６４、６６は、液晶表示素子２０の画素電極３２及び共通電極３６が形成されている範囲に対応する範囲に形成されており、また、上記両透明基板６０、６２間の間隔には液晶（液晶層）７２が挟み込むようにして封止されている。これら透明電極６４、６６間に所定の電圧を印加することによって、液晶７２を駆動することができる。
また、例えば透明電極６４は、液晶表示素子２０の画素電極３２と同じようにマトリクス状に配置されると共に、この画素駆動素子は薄膜トランジスタ等として形成され、画像信号配線及び走査信号配線からの信号により駆動され、他方の透明電極６６は共通電極となる構成としてもよい。
【００３５】
ここで上記両透明基板６０、６２間の間隔の幅（液晶層の厚さ）ｄ１は、液晶表示素子２０の間隔の幅ｄと同じ値に設定されており、また、対向配置された配向層６８、７０は、その配向方向が互いにパラレル方向になされている。そして、上記液晶７２としては例えばネマチック型の液晶が用いられ、そして、この液晶７２として、液晶分子配列の捩れるピッチ長は、上記液晶表示素子２０で用いた液晶２６と同じであるが、捩れ方向が上記液晶２６とは逆方向になされた液晶が用いられる。図９に示すように各液晶２６、７２の液晶分子２６Ａ、７２Ａの捩れ方向（図示例では傾斜方向）が互いに逆になっている。
【００３６】
以上のように構成された液晶パネル５０が、図８に示すように液晶表示装置４２に組み込まれて動作される。そして、上記液晶パネル５０の液晶７２を挟持する一対の透明電極６４、６６に電圧を印加すれば位相補償量を変化させることができるため、これに並設されている液晶表示素子２０の位相状態と旋光状態とを逆方向にその値を一致させることができる。
この方式についてはすでに、ＴＮ型、ＳＴＮ型を用いた方式の２層型の液晶表示素子では知られてるが、本発明ではカイラル材の入った液晶材料を用いたベンド配列の液晶表示素子に適用したことに特長がある。
【００３７】
図１０は本発明の液晶表示装置の駆動方法を示す図である。図１０（Ａ）は白表示の場合を示し、図１０（Ｂ）は黒表示の場合を示す。そして、”ＶＷ”電圧は白表示の印加電圧を示し、”ＶＢ”電圧は黒表示の印加電圧を示す。図１０（Ａ）で示す液晶表示装置の液晶パネル５０の一対の透明電極６４、６６間には、液晶表示素子２０で形成される画像の光量が最小値となる電圧値と、略同一の電圧が液晶パネル５０の透明電極６４、６６間に印加されることで黒表示での光モレとなる位相差と旋光分散を補償できるので、高いコントラストを得ることができる。
【００３８】
本実施例では、反射型の液晶表示素子を用いた液晶表示装置について説明したが、透過型の液晶表示素子であっても本発明の技術思想を適用可能なことは言うまでもない。
以上詳細に説明したように、本発明の液晶表示素子及びこれを用いた液晶表示装置によれば、例えばネマチィック液晶に液晶分子配列の捩れるピッチ長ｐが、対向する第１及び第２の基板の間隔の幅をｄとしたとき、”（４／３）ｄ≦ｐ≦４ｄ”となるカイラル材を添加するようにしたので、スプレイ配列からベンド配列への転移を、１８０°ツイスト配列を経由したものとすることにより、高電圧や時間を要することなく転移がスムーズに進む。
【００３９】
更に、対向する面には互いの配向方向がパラレル方向をなす配向層を積層し、基板間隙に封入されるネマチィック液晶の液晶分子配列の捩れるピッチ長は前記液晶表示素子と同じであるが、捩れ方向が前記液晶表示素子と逆方向の液晶パネルを配設するようにしたので、ツイスト配列による旋光性の波長依存のための黒表示での光モレをなくすことができる。
【００４０】
上述のように、本発明は、スプレイ配列からベンド配列への転移を容易に可能にするとともに、高コントラストで高い光変調率で、応答速度に優れている液晶表示素子及び液晶表示装置が提供できる効果を有する。
【図面の簡単な説明】
【００４１】
【図１】本発明に係る液晶表示素子を示す概略構成図である。
【図２】図１に示す液晶表示素子の１画素に相当する部分を示す拡大断面図である。
【図３】液晶分子配列の捩れるピッチ長を説明するための図である。
【図４】（Ａ）は電極の印加電圧と液晶配列のエネルギーとの関係を示すグラフであり、（Ｂ）はスプレイ配列領域にベンド配列領域を形成すると共にこのベンド配列領域を広げるためのエネルギーについて説明するための模式図である。
【図５】電極間に加える印加電圧と液晶表示素子及び位相差補償板の透過率との関係を示すグラフである。
【図６】式１に関して”ｐ／ｄ”を種々変更してスプレイ配列からベンド配列に転移したか否かの実験結果を示す図である。
【図７】印加電圧と液晶表示素子自体の位相差との関係を示すグラフである。
【図８】本発明に係る液晶表示素子を用いた液晶表示装置を示す概略構成図である。
【図９】図８に示す液晶表示装置の主要部を示す拡大断面図である。
【図１０】本発明の液晶表示装置の駆動方法を示す図である。
【図１１】ＯＣＢモードの液晶表示素子の一例を示す概略構成図である。
【図１２】スプレイ配列領域にベンド配列領域を形成するためのエネルギーについて説明するための模式図である。
【符号の説明】
【００４２】
２０…液晶表示素子、２２…第１の基板、２４…第２の基板、２６…液晶、１２６Ａ…液晶分子、３２…画素電極、３４，３８…配向層、３６…共通電極、４２…液晶表示装置、４４…光源、４６…可視化手段、４８…位相差補償板、５０…液晶パネル、６０，６２…透明基板、６４，６６…透明電極、６８，７０…配向層、７２…液晶、７２Ａ…液晶分子、Ｄ１〜Ｄｉ…画像信号配線、Ｗ１〜Ｗｊ…走査信号配線。
【図１】
2008275955.tif 000003
【図２】
2008275955.tif 000004
【図３】
2008275955.tif 000005
【図４】
2008275955.tif 000006
【図５】
2008275955.tif 000007
【図６】
2008275955.tif 000008
【図７】
2008275955.tif 000009
【図８】
2008275955.tif 000010
【図９】
2008275955.tif 000011
【図１０】
2008275955.tif 000012
【図１１】
2008275955.tif 000013
【図１２】
2008275955.tif 000014